(57)【特許請求の範囲】
【請求項１】
少なくとも一側が開放されたケースと、そのケースの開放された一側に配設されるディテントと、ピース，コンタクトホルダ及びレバー部からなるとともに、前記ケースの開放された一側に前記ディテントと一体的に配設される操作部と、その一側を下方に向けた前記ケースが上方から装着されるとともに、前記ケースとの間で前記ディテント及び前記操作部を支持するインシュレータとを備えたレバースイッチにおいて、
前記ケースの上部内側面に形成された凹部内には、第１の係合手段として突起が形成されるとともに、
前記ディテントの上面に形成された爪部の先端には、第１の係合手段と係合し、ディテントをケースの下方に脱落させない第２の係合手段として鉤状の爪が形成され、
前記爪を前記突起に係合させて前記ディテントを前記ケースに保持し、
さらに、前記ディテントの一側には、表面に凹部と凸部が交互に形成されるように斜め下方に延出されたレバー支持部が形成され、
前記操作部が前記ケースから脱落しないように前記ピースの先端を前記レバー支持部の凹部に保持したことを特徴とするレバースイッチ。
【請求項２】
少なくとも一側が開放されたケースと、そのケースの開放された一側に配設されるディテントと、ピース，コンタクトホルダ及びレバー部からなるとともに、前記ケースの開放された一側に前記ディテントと一体的に配設される操作部と、その一側を下方に向けた前記ケースが上方から装着されるとともに、前記ケースとの間で前記ディテント及び前記操作部を支持するインシュレータとを備えたレバースイッチにおいて、
前記ケースの上部内側面に形成された凹部内には、第１の係合手段として突起が形成されるとともに、
前記ディテントの上面に形成された爪部の先端には、第１の係合手段と係合し、ディテントをケースの下方に脱落させない第２の係合手段として鉤状の爪が形成され、
前記爪を前記突起に係合させて前記ディテントを前記ケースに保持し、
さらに、前記ケースをインシュレータに装着するとき、前記操作部は前記コンタクトホルダに形成した接点部の上端部が前記ケースの上部内側面に当接するとともに、前記上端部とはディテントを挟んで反対側にある前記操作部に設けたピースが前記ディテントによって下方から支持されてケースから脱落しないことを特徴とするレバースイッチ。
【発明の詳細な説明】
【０００１】
【発明の属する技術分野】
本発明は、レバースイッチに係り、詳しくはレバースイッチの組み付け構造に関するものである。
【０００２】
【従来の技術】
通常、車両にはワイパー等を起動させるためのレバースイッチが装着されている。図５に示すように、このレバースイッチ２１はインシュレータ２２及びケース２３を備えている。
【０００３】
インシュレータ２２は、箱形に形成され、その一側面には係合突起２２ａが形成されている。インシュレータ２２の上面２２ｂは平面に形成され、その上面２２ｂには係合溝２２ｃ及びガイド溝２２ｄが形成されている。また、インシュレータ２２の上面２２ｂには下側接点２２ｅが設けられている。そして、インシュレータ２２の上面２２ｂには、ケース２３がその下面２３ａを下方に向けて、インシュレータ２２の上方から装着される。
【０００４】
ケース２３の下面２３ａにはディテント２４及び操作部２５が配設されている。ケース２３の下側は開放され、その下面２３ａは平面に形成されている。ケース２３の下面２３ａには係合突起２３ｂが形成されている。そして、ケース２３がインシュレータ２２に装着されると、ケース２３の下面２３ａはインシュレータ２２の上面２２ｂに接合し、この係合突起２３ｂは、前記係合溝２２ｃに嵌合するようになっている。
【０００５】
また、ケース２３の一側面には係合部２３ｃが形成されている。この係合部２３ｃには孔２３ｄが形成されている。そして、ケース２３がインシュレータ２２に装着されると、この孔２３ｄには前記係合突起２２ａが嵌合するようになっている。更に、ケース２３の上部内側面には第１及び第２凹部２３ｅ，２３ｆが形成されている。ケース２３内にはディテント２４が配設されている。
【０００６】
ディテント２４の上面には係合凸部２４ａが形成され、この係合凸部２４ａはケース２３の第１凹部２３ｅに嵌挿されている。また、ディテント２４の一側にはレバー支持部２４ｂが斜め下方に延出形成されている。そして、レバー支持部２４ｂには操作部２５のピース２６が当接している。
【０００７】
操作部２５はピース２６，レバー部２７及びコンタクトホルダ２８を備えている。ピース２６は円柱状に形成され、レバー部２７の先端部に形成した凹部に嵌合され、前記レバー支持部２４ｂによって下方から支持されている。
【０００８】
レバー部２７は、嵌挿部２７ａ及び操作レバー２７ｂからなっている。嵌挿部２７ａの両外側面には第１回動軸２７ｃが凸設されている。嵌挿部２７ａの一側には操作レバー２７ｂが延出形成されている。そして、嵌挿部２７ａはコンタクトホルダ２８内に遊嵌されている。
【０００９】
コンタクトホルダ２８は、筒部２８ａ及び接点部２８ｃからなっている。筒部２８ａは中空体に形成され、その両側面には軸穴２８ｄが形成されている。この軸穴２８ｄに前記第１回動軸２７ｃが回動可能に嵌挿されている。そして、嵌挿部２７ａは操作レバー２７ｂを矢印の方向に操作すると、筒部２８ａ内で嵌挿部２７ａは第１回動軸２７ｃを中心に回動する。また、筒部２８ａの下部外側面にはガイド部２８ｆが凸設されている。そして、ケース２３がインシュレータ２２に装着されると、ガイド部２８ｆは前記ガイド溝２２ｄ内にガイド溝２２ｄの長手方向に摺動可能に嵌挿され、ガイド部２８ｆの下端部はガイド溝２２ｄの底面に接する。更に、筒部２８ａの上部外側面には第２回動軸２８ｅが凸設されている。この第２回動軸２８ｅはケース２３の第２凹部２３ｆに回動可能に嵌挿されている。そして、操作レバー２７ｂを図５において、紙面の上下方向に操作すると、操作部２５は第２回動軸２８ｅを中心に前記ガイド溝２２ｄに沿って回動する。
【００１０】
接点部２８ｃは、角柱状に形成され、その下面には上側接点２８ｇが設けられている。この上側接点２８ｇは、ケース２３がインシュレータ２２に装着され、操作レバー２７ｂを操作して第２回動軸２８ｅを中心にコンタクトホルダ２８を前記ガイド溝２２ｄに沿って回動させると、インシュレータ２２の各下側接点２２ｅにそれぞれ接触するようになっている。
【００１１】
【発明が解決しようとする課題】
ところで、ディテント２４はその係合凸部２４ａがケース２３の第１凹部２３ｅに嵌挿されているだけであり、操作部２５は第２回動軸２８ｅがケース２３の第２凹部２３ｆに嵌挿されているだけである。
【００１２】
従って、ケース２３の一部、例えばケース２３の側面を保持しながら、ケース２３の下面２３ａを下方に向けてインシュレータ２２の上方からインシュレータ２２の上面２２ｂに装着するとき、操作部２５を下方から支持しないとディテント２４及び操作部２５はケース２３から脱落する。その結果、作業者は、通常コンタクトホルダ２８を下方から押さえてケース２３をインシュレータ２２の上面２２ｂに装着している。
【００１３】
このようにケース２３をインシュレータ２２に装着する場合、作業者はコンタクトホルダ２８を下方から押さえながら、ケース２３の下面２３ａをインシュレータ２２の上面２２ｂに位置合わせして係合部２３ｃの孔２３ｄに係合突起２２ａを嵌合させるとともに、係合溝２２ｃに係合突起２３ｂを嵌合させ、更にガイド溝２２ｄにガイド部２８ｆを嵌挿させる必要がある。その結果、この作業は複雑になり、作業効率が低下する。
【００１４】
本発明の目的は、ケースをインシュレータに組み付けるとき、ディテント及び操作部がケースから脱落することを防止して作業効率を向上させることができるレバースイッチを提供することにある。
【００１５】
【課題を解決するための手段】
上記問題点を解決するために、請求項１に記載の発明は、少なくとも一側が開放されたケースと、そのケースの開放された一側に配設されるディテントと、ピース，コンタクトホルダ及びレバー部からなるとともに、前記ケースの開放された一側に前記ディテントと一体的に配設される操作部と、その一側を下方に向けた前記ケースが上方から装着されるとともに、前記ケースとの間で前記ディテント及び前記操作部を支持するインシュレータとを備えたレバースイッチにおいて、前記ケースの上部内側面に形成された凹部内には、第１の係合手段として突起が形成されるとともに、前記ディテントの上面に形成された爪部の先端には、第１の係合手段と係合し、ディテントをケースの下方に脱落させない第２の係合手段として鉤状の爪が形成され、前記爪を前記突起に係合させて前記ディテントを前記ケースに保持し、さらに、前記ディテントの一側には、表面に凹部と凸部が交互に形成されるように斜め下方に延出されたレバー支持部が形成され、前記操作部が前記ケースから脱落しないように前記ピースの先端を前記レバー支持部の凹部に保持したことを要旨とする。
【００１６】
請求項２に記載の発明は、少なくとも一側が開放されたケースと、そのケースの開放された一側に配設されるディテントと、ピース，コンタクトホルダ及びレバー部からなるとともに、前記ケースの開放された一側に前記ディテントと一体的に配設される操作部と、その一側を下方に向けた前記ケースが上方から装着されるとともに、前記ケースとの間で前記ディテント及び前記操作部を支持するインシュレータとを備えたレバースイッチにおいて、前記ケースの上部内側面に形成された凹部内には、第１の係合手段として突起が形成されるとともに、前記ディテントの上面に形成された爪部の先端には、第１の係合手段と係合し、ディテントをケースの下方に脱落させない第２の係合手段として鉤状の爪が形成され、前記爪を前記突起に係合させて前記ディテントを前記ケースに保持し、さらに、前記ケースをインシュレータに装着するとき、前記操作部は前記コンタクトホルダに形成した接点部の上端部が前記ケースの上部内側面に当接するとともに、前記上端部とはディテントを挟んで反対側にある前記操作部に設けたピースが前記ディテントによって下方から支持されてケースから脱落しないことを要旨とする。
【００１８】
請求項１又は請求項２に記載の発明によれば、ケースがディテント及び操作部を配設した側を下方に向けてインシュレータにインシュレータの上方から装着されるとき、ケースに形成した第１の係合手段（突起）とディテントの第２の係合手段（鉤状の爪）とが係合しているので、ディテントはケースから脱落しない。従って、ディテントを下方から押さえる必要がない。
特に、ディテントはその鉤状の爪で突起に係合しているので、ディテントはケースの震動や衝撃等によってケースから脱落することなく、確実にケース内に保持される。
そして、請求項１に記載の発明によれば、操作部がケースから脱落しないようにピースの先端がレバー支持部の凹部に保持される。従って、操作部がケースから脱落しないように操作部を下方から押さえる必要はない。
【００１９】
請求項２に記載の発明によれば、ケースがディテント及び操作部を配設した側を下方に向けてインシュレータにインシュレータの上方から装着されるとき、操作部はケースの上部内側面とディテントとによってケース内に保持されている。従って、操作部がケースから脱落しないように操作部を下方から押さえる必要はない。
【００２１】
【発明の実施の形態】
以下、本発明を具体化したレバースイッチの一実施形態を図１〜図４に従って説明する。
【００２２】
図１に示すように、レバースイッチ１はインシュレータ２と、そのインシュレータ２に取着されるケース３と、インシュレータ２とケース３との間に支持される操作部４及び図２（ａ）に示すディテント５とを備えている。
【００２３】
図２（ａ）に示すように、インシュレータ２は、箱形に形成されている。インシュレータ２の一側面には係合突起２ａが形成されている。インシュレータ２の上面２ｂは平面に形成され、その上面２ｂには係合溝２ｃ，ガイド溝２ｄ及びネジ穴２ｅが形成されている。また、インシュレータ２の上面２ｂには下側接点２ｆが設けられている。この下側接点２ｆには図示しない回路基板からのリード線が接続されており、両下側接点２ｆが短絡されると、その回路基板は、例えばワイパーを起動する信号を出力するようになっている。インシュレータ２の上面２ｂには、ケース３がその下面３ｃを下方に向けてインシュレータ２の上方から装着される。
【００２４】
ケース３は樹脂材料から形成され、図３（ａ）に示すようにその下側及び右側が開放し、その上面の左側には段差部３ａが形成されている。段差部３ａは、ケース３の上面の右側よりも低い平面に形成されている。また、図１に示すようにケース３の上面には取付穴３ｂが形成されている。そして、ケース３の下面３ｃがインシュレータ２の上面２ｂに装着されると、この取付穴３ｂの下部には前記インシュレータ２のネジ穴２ｅが位置するようになっている。
【００２５】
ケース３の下面３ｃには係合突起３ｄが形成されている。また、ケース３の一側面には係合部３ｅが形成されている。この係合部３ｅには孔３ｆが形成されている。そして、ケース３の下面３ｃがインシュレータ２の上面２ｂに装着されると、係合突起３ｄが前記係合溝２ｃに嵌合するとともに、前記孔３ｆには前記係合突起２ａが嵌合するようになっている。更に、ケース３の上部内側面には第１，第２及び第３凹部３ｇ，３ｈ，３ｉが形成されている。第１凹部３ｇの内側面には第１の係合手段としての突起３ｊが形成されている。本実施形態では、図１に示すように第１凹部３ｇは離間して２個形成され、それぞれケース３の上面に貫通している。ケース３内にはディテント５が配設されている。
【００２６】
ディテント５は樹脂材料から形成され、図３（ｂ）に示すようにディテント５の上面には一対の爪部５ａが形成されている。それぞれの爪部５ａの先端には第２の係合手段としての爪５ｂが形成されている。図２（ｂ）に示すように、この爪５ｂは鉤状に形成されている。これらの爪部５ａは第１凹部３ｇ内に嵌挿され、各爪５ｂは前記突起３ｊに係合する。また、ディテント５の上面には係合凸部５ｃが形成されている。この係合凸部５ｃは第２凹部３ｈ内に嵌挿される。更に、図３（ｂ）に示すようにディテント５の両側部には当接部５ｄが形成され、これらの当接部５ｄはケース３の両内側面にそれぞれ当接している。そして、ディテント５はケース３内にてケース３の長手方向及びそれに直交する方向の位置が固定されるとともに、爪５ｂを突起３ｊに係止させてケース３内に保持される。
【００２７】
更に又、図２（ａ）に示すようにディテント５の一側にはレバー支持部５ｅが斜め下方に延出形成されている。図３（ｂ）に示すように、レバー支持部５ｅは円弧状の板であって、その表面には凹部と凸部が交互に形成されている。レバー支持部５ｅには操作部４のピース６が当接している。
【００２８】
図３（ｃ）に示すように、操作部４はピース６，レバー部７及びコンタクトホルダ８を備えている。
図２（ａ）に示すように、ピース６は円柱状に形成され、レバー支持部５ｅ側の先端は球面に形成されている。そして、ピース６の先端は、レバー支持部５ｅの各凹部のいずれか一箇所に保持されるようになっている。また、ピース６はレバー部７の先端部に形成した凹部に嵌合され、レバー支持部５ｅによって下方から支持されている。ピース６は図２（ａ）において、レバー支持部５ｅの右側に位置している。
【００２９】
図２（ａ）及び図３（ｃ）に示すようにレバー部７は、嵌挿部７ａ及び操作レバー７ｂからなっている。嵌挿部７ａの両外側面には第１回動軸７ｃが凸設されている。また、嵌挿部７ａの一側には操作レバー７ｂが延出形成されている。そして、嵌挿部７ａはコンタクトホルダ８内に遊嵌されている。
【００３０】
コンタクトホルダ８は、筒部８ａ及び接点部８ｃからなっている。筒部８ａは中空体に形成され、その両側面には軸穴８ｄが形成されている。この軸穴８ｄには前記第１回動軸７ｃが回動可能に嵌挿されている。そして、嵌挿部７ａは操作レバー７ｂを矢印の方向に操作すると、嵌挿部７ａは筒部８ａ内で第１回動軸７ｃを中心に回動する。また、筒部８ａの下部外側面にはガイド部８ｅが凸設されている。そして、ケース３の下面３ｃがインシュレータ２の上面２ｂに装着されると、ガイド部８ｅは、前記ガイド溝２ｄ内にガイド溝２ｄの長手方向に摺動可能に嵌挿され、ガイド部８ｅの下端部はガイド溝２ｄの底面に接する。更に、筒部８ａの上部外側面には第２回動軸８ｆが凸設されている。この第２回動軸８ｆはケース３の第３凹部３ｉに回動可能に嵌挿されている。そして、操作レバー７ｂを図２（ａ）において、紙面の上下方向に操作すると、操作部４は第２回動軸８ｆを中心に前記ガイド溝２ｄに沿って回動し、ピース６の先端がレバー支持部５ｅのいずれか一つの凹部に位置すると、次に操作レバー７ｂが操作されるまでその位置で保持される。また、ケース３がインシュレータ２に装着された状態では、コンタクトホルダ８はガイド溝２ｄの底面によって下方から支持され、ケース３から脱落することはない。
【００３１】
接点部８ｃは角柱状に形成され、ケース３の段差部３ａの方向に拡幅成形されている。接点部８ｃの上面は、ケース３の段差部３ａの上部内側面に近接している。接点部８ｃは、図２（ａ）においてディテント５の左側に位置している。そして、図４に示すようにケース３がその下面３ｃを下方に向けてインシュレータ２の上面２ｂにインシュレータ２の上方から装着されるとき、接点部８ｃの上面は前記段差部３ａの上部内側面に近接しているので、接点部８ｃの上端部が段差部３ａの上部内側面に下方から当接する。また、このとき前記接点部８ｃの上端部とはディテント５を挟んで反対側にあるピース６の先端はレバー支持部５ｅによって下方から支持されている。
【００３２】
更に、接点部８ｃには上側接点８ｇが形成されている。上側接点８ｇは、接点部８ｃの上面から形成された一対の対向する貫通孔に接続端子を挿入固定し、この接続端子の先端を接点部８ｃの下面から突出させて形成している。この上側接点８ｇは、ケース３がインシュレータ２に装着され、操作レバー７ｂを操作して第２回動軸８ｆを中心に操作部４をガイド溝２ｄに沿って回動させ、ピース６の先端がレバー支持部５ｅのいずれか一つの凹部に保持されたとき、その凹部に相対する下側接点２ｆにそれぞれ接触するようになっている。本実施形態では、この上側接点８ｇは離間して２個形成されている。
【００３３】
今、作業者が、例えばケース３の側面のみを保持し、ケース３の下面３ｃを下方に向けてケース３をインシュレータ２の上面２ｂにインシュレータ２の上方から装着するとき、図４に示すように操作部４は、ケース３から下方に脱落しようとする。しかし、ディテント５はその爪５ｂをケース３の第１凹部３ｇに形成した突起３ｊに係合させているので、ケース３から脱落することはない。更に、操作部４は接点部８ｃの上端部がケース３の段差部３ａの上部内側面に当接するとともに、前記接点部８ｃの上端部とはディテント５を挟んで反対側にあるピース６の先端がレバー支持部５ｅによって下方から支持されるのでケース３から下方に脱落することはない。
【００３４】
従って、作業者は容易にケース３の下面３ｃをインシュレータ２の上面２ｂに接合させ、係合部３ｅの孔３ｆを係合突起２ａを嵌合させるとともに、係合溝２ｃに係合突起３ｄを嵌合させてから、ネジによって取付穴３ｂ及びネジ穴２ｅを介してケース３をインシュレータ２に螺着固定することができる。
【００３５】
上記実施形態のレバースイッチ１によれば、以下のような特徴を得ることができる。
（１）上記実施形態では、ケース３がその下面３ｃを下方に向けてインシュレータ２の上面２ｂにインシュレータ２の上方から装着されるとき、ディテント５は、爪部５ａに形成した爪５ｂをケース３の第１凹部３ｇに形成した突起３ｊに係合させているので、ケース３から脱落することはない。
【００３６】
従って、作業者はディテント５がケース３から脱落しないようにディテント５を下方から押さえる必要がないため、ケース３をインシュレータ２に装着する作業が容易になる。その結果、作業効率が向上する。
【００３７】
（２）上記実施形態では、ケース３がその下面３ｃを下方に向けてインシュレータ２の上面２ｂにインシュレータ２の上方から装着されるとき、操作部４は接点部８ｃの上端部が段差部３ａの上部内側面に当接するとともに、前記接点部８ｃの上端部とはディテント５を挟んで反対側にあるピース６の先端がレバー支持部５ｅによって下方から支持されているのでケース３から脱落することはない。
【００３８】
従って、作業者は操作部４がケース３から脱落しないように操作部４を下方から押さえる必要はないため、操作部４をインシュレータ２に容易に固定することができる。その結果、作業効率が向上する。
【００３９】
（３）上記実施形態では、ディテント５はその鉤状の爪５ｂで突起３ｊに係合しているので、ディテント５は確実にケース３内に保持される。従って、ディテント５はケース３の震動や衝撃によってもケース３から落下することはなく、作業効率が向上する。
【００４０】
（４）上記実施形態では、ディテント５を樹脂材料から形成したため、爪５ｂを容易に形成することができる。その結果、製造コストを低減することができる。
【００４１】
（５）上記実施形態では、ケース３を樹脂材料から形成したため、突起３ｊを容易に形成することができる。その結果、製造コストを低減することができる。
なお、本発明の実施形態は以下のように変更してもよい。
【００４４】
○ディテント５の上面には爪部５ａを２個形成したが、任意の数だけ形成してもよい。
【００４５】
次に、上記実施形態及び別例から把握できる請求項に記載した発明以外の技術的思想について、それらの効果と共に以下に記載する。
【００４６】
（１）請求項１又は請求項２に記載のレバースイッチおいて、前記ケースは樹脂材料から形成したことを特徴とするレバースイッチ。
従って、この（１）に記載のレバースイッチによれば、製造コストを低減することができる。
【００４７】
（２）請求項１又は請求項２に記載のレバースイッチおいて、前記ディテント５は樹脂材料から形成したことを特徴とするレバースイッチ。
従って、この（２）に記載のレバースイッチによれば、製造コストを低減することができる。
【００４８】
【発明の効果】
以上詳述したように、請求項１又は請求項２に記載の発明によれば、ディテントを下方から押さえることなく、ケースをインシュレータに装着することができ、作業効率を向上させることができる。特に、ディテントはケースの震動や衝撃によってもケースから脱落することはなく、作業効率を向上させることができる。
また、操作部を下方から押さえることなく、ケースをインシュレータに装着することができ、作業効率を向上させることができる。
【図面の簡単な説明】
【図１】  本実施形態のレバースイッチの斜視図。
【図２】  （ａ）は、同じくレバースイッチの破断図であって、（ｂ）はレバースイッチの要部拡大破断図。
【図３】  （ａ）は、同じくケースの斜視図、（ｂ）はディテントの斜視図であって、（ｃ）は操作部の斜視図。
【図４】  同じくディテントに操作部が係合している状態のレバースイッチの破断図。
【図５】  従来のレバースイッチの断面図。
【符号の説明】
１…レバースイッチ、２…インシュレータ、３…ケース、３ｇ…凹部としての第１凹部、３ｊ…第１の係合手段としての突起、４…操作部、５…ディテント、５ａ…爪部、５ｂ…第２の係合手段としての爪、５ｅ…レバー支持部、６…ピース、７…レバー部、８…コンタクトホルダ、８ｃ…接点部。
【図１】
0003825192.tif 000002
【図２】
0003825192.tif 000003
【図３】
0003825192.tif 000004
【図４】
0003825192.tif 000005
【図５】
0003825192.tif 000006